(57)【特許請求の範囲】
【請求項１】
複数のチューナを備えて、これらチューナから受信した放送コンテンツと電子番組情報を記憶装置に自動記録することが可能なテレビジョン受像機の電子番組ガイドの表示方法であって、
電子番組ガイドの要求操作に基づいて、
コンテンツ情報を、縦軸をコンテンツの放送時間帯ごとに仕切られる時間軸とし、横軸を放送局軸とするマトリックス状に配列されたマトリックス表示領域を備えた電子番組ガイドを表示部に表示し、
前記電子番組ガイドは、前記時間軸における現在時刻の時間帯と交わるように前記放送局軸に沿って放送局ごとに仕切られる当該放送局の識別表示欄を備え、
前記コンテンツ情報のスクロール操作にともなって、前記電子番組ガイドは前記時間軸に沿ってスクロールし、前記電子番組ガイドが前記時間軸に沿ってスクロールする場合には、前記識別表示欄も前記電子番組ガイドと連動して前記時間軸に沿ってスクロールすることを特徴とする電子番組ガイドの表示方法。
【請求項２】
前記請求項１記載の電子番組ガイドの表示方法において、
前記スクロール操作にともなって、現在時刻が前記マトリックス表示領域に表示される時間軸上に存在しない場合は、前記マトリックス表示領域の上辺または下辺に前記識別表示欄を固定表示する
ことを特徴とする電子番組ガイドの表示方法。
【発明の詳細な説明】
【技術分野】
【０００１】
本発明は、複数のデジタル放送のコンテンツを録画することが可能なテレビジョン受像機の電子番組表ガイドの表示方法に関するものである。
【背景技術】
【０００２】
近年、地上アナログ放送から地上デジタル放送への切り替えに伴って、デジタル化した映像情報の視聴だけでなく、電子番組情報などのサービスの利用も普及している。このサービスにおいては、多数のチャンネルから希望するチャンネルを簡単に選択することができる。つまり、このシステムでは、ＥＰＧと呼ばれる電子番組ガイドを採用し、伝送されてくるチャンネル番号、番組の放送時間、番組名、番組内容、出演者などから、家庭のテレビで電子化されたテレビ番組表を再生し、このテレビ番組表から任意の番組を検索して、これをテレビで視聴することができる。
【０００３】
一方、近年の映像記録技術の発展により、多数の映像情報をＨＤＤやＤＶＤに記録することができる。特に、近年においては、放送されるコンテンツを複数のチューナを介して受信し、これら受信されるコンテンツを網羅的に自動録画する装置が提案されている。この装置によれば、見忘れた放送コンテンツを録画されたコンテンツから抽出して視聴することができる。
【先行技術文献】
【特許文献】
【０００４】
【特許文献１】特開２００７−２６６９７１号公報
【発明の概要】
【発明が解決しようとする課題】
【０００５】
前記従来例では、これから放送されるコンテンツについては電子番組ガイドで選択して視聴したり、あるいは録画予約し、過去に録画したものについては、電子番組ガイドと異なる検索ツールを用いて検索し、これを選択して視聴するのが一般的である。したがって、利用者は、見たいコンテンツを録画したか否かを判断し、この判断により検索ツールを使い分けなければならない課題がある。もし、これらが１つの検索ツールで行えれば使い勝手が一段と飛躍する。
【０００６】
そこで、この発明の目的とするところは、録画したか否かにかかわりなく１つの電子番組ガイドを介して放送コンテンツを検索することが可能な録画機能を備えたテレビジョン受像機の電子番組ガイドの表示方法を提供することにある。
【課題を解決するための手段】
【０００７】
前記目的を達成するために、この発明では、複数のチューナを備えて、これらチューナから受信した放送コンテンツと電子番組情報を記憶装置に自動記録することが可能なテレビジョン受像機の電子番組ガイドの表示方法であって、電子番組ガイドの要求操作に基づいて、コンテンツ情報を、縦軸をコンテンツの放送時間帯ごとに仕切られる時間軸とし、横軸を放送局軸とするマトリックス状に配列されたマトリックス表示領域を備えた電子番組ガイドを表示部に表示し、前記電子番組ガイドは、前記時間軸における現在時刻の時間帯と交わるように前記放送局軸に沿って放送局ごとに仕切られる当該放送局の識別表示欄を備え、前記コンテンツ情報のスクロール操作にともなって、前記電子番組ガイドは前記時間軸に沿ってスクロールし、前記電子番組ガイドが前記時間軸に沿ってスクロールする場合には、前記識別表示欄も前記電子番組ガイドと連動して前記時間軸に沿ってスクロールする。
【発明の効果】
【０００８】
本発明によれば、１つの電子番組ガイドを介して、録画したコンテンツと、放送中または放送予定のコンテンツを同一の操作でしかも現在時間を意識しながら検索することができる。
【図面の簡単な説明】
【０００９】
【図１】この発明に係るテレビジョン受像機の概略構成図である。
【図２】この発明に係るテレビジョン受像機の装置ブロック図である。
【図３】この発明に係るテレビジョン受像機のデータ構成図である。
【図４】この発明に係るテレビジョン受像機の電子番組ガイドの画面遷移図である。
【図５】この発明に係るテレビジョン受像機の電子番組ガイドの画面遷移図である。
【図６】この発明に係るテレビジョン受像機の電子番組ガイドの画面遷移図である。
【図７】この発明に係るテレビジョン受像機の動作フロー図である。
【発明を実施するための形態】
【００１０】
以下、図１から図７を参照して、この発明に係るテレビジョン受像機を詳細に説明する。ここで、図１は、この発明に係るテレビジョン受像機の概略構成図である。図２は、テレビジョン受像機の装置ブロック図である。図３は、テレビジョン受像機のデータ構成図である。図４から図６は電子番組ガイドの画面遷移図である。図７は、テレビジョン受像機の動作フロー図である。なお、全図において、同様な部位は同一符号をもって示して、重複した説明を省略する。
【００１１】
先ず、図１を参照して、この実施例に係るテレビジョン受像機の概略構造を説明する。符号１で示すテレビジョン受像機は、大容量の記憶装置を備えたものであり、本体１００と、モニタ１２０と、リモコン１３０とを含んで構成される。前記本体１００は、複数のテレビチューナや大容量の記憶装置を内蔵して、このテレビジョン受像機１の中核をなすものである。前記モニタ１２０は、前記本体１００とコードを介して接続され、前記本体１００で生成される画像を表示装置１２１に表示する。この実施例では、このモニタ１２０に設けられる表示装置１２１の両側にスピーカ１２２を備えたものを採用している。しかし、これに限定されるものではなく、スピーカ別体のものや、テレビチューナを内蔵したテレビジョン受像機でもよい。前記リモコン１３０は、例えば、赤外線信号を介して前記本体１００の図示しない赤外線受光部に操作信号を送信して、このテレビジョン受像機１の操作を統括的に操作することができる。
【００１２】
前記本体１００には、コードを介してアンテナ１１０を接続することで、一般的な地上デジタル放送を受信することができるし、衛星放送アンテナを接続すれば衛星放送を受信できる。更に、ケーブルテレビなどとも接続することができる。したがって、前記放送を通じてテレビ画像信号の他に電子番組ガイド（ＥＰＧ）などの各種情報を受信して、これを内蔵した記憶装置に格納し、これらの情報から各種検索を行うことができる。
【００１３】
この他、図１に示すように、この実施例では、パーソナルコンピュータ（以下パソコンという）や増設記憶装置などの増設機器１４０や、内部に画像記憶メモリ素子を備えたデジタルカメラとＵＳＢ端子で接続することもできる。これにより、本体１００の大容量記憶装置に格納されたデータを前記パソコンからも読み取ることができる。更に、前記デジタルカメラをＵＳＢ端子で簡単に接続することにより、前記画像記憶メモリ素子に格納された画像を前記モニタ１２０に表示することができる。更に、インターネットを介して各種のサーバと接続することができる。
【００１４】
そして、このテレビジョン受像機１の大きな特徴の１つは、放送局に対応して複数のチューナを備え、刻々受信されるデジタル放送のコンテンツを順次記録し、現在またはこれから放送される複数のコンテンツ情報２０１を表示する電子番組ガイド２００から前記順次記録したコンテンツを検索可能にした点にある。
【００１５】
即ち、従来の電子番組ガイドは、複数のコンテンツ情報を時間軸Ｙと放送局軸Ｘとでマトリックス状に表示して、現時点からこれから放送されるコンテンツを一覧できるようにしたものが一般的である。しかも、各コンテンツ情報は、選択して決定操作することで、現在放送されているコンテンツであれば当該コンテンツをモニタ１２０に表示し、これからの放送予定であれば、予約画面を表示して視聴予約や録画予約を行うことができる。
【００１６】
しかし、この従来の電子番組ガイドでは、過去に録画されたコンテンツを検索する場合には、この電子番組ガイドとは異なる検索画面で検索しなければならない。特に、この実施例のように、複数のチューナを備えて、放送されるコンテンツを網羅的に自動記録する装置においては、電子番組ガイドで一括して検索できれば有効である。
【００１７】
そこで、この実施例では、録画されるコンテンツが過去の電子番組ガイド２００にリンクして録画されている点に着目し、この電子番組ガイド２００を介して、現在、過去、未来のコンテンツを検索できる電子番組ガイド２００を採用した。
【００１８】
また、このテレビジョン受像機１の大きな特徴の１つは、各コンテンツ情報２０１を時間軸Ｙと放送局軸Ｘとでマトリックス状に配列される電子番組ガイド２００において、現在時刻に放送局軸Ｘの識別表示欄２０２を配列し、コンテンツ情報２０１のスクロール操作にともなって、この識別表示欄２０２を連動して移動させ、識別表示欄２０２がマトリックス表示領域２０３の上端または下端に移動したときには、当該位置で固定表示して、コンテンツ情報２０１のみをスクロールさせるようにした点にある。
【００１９】
即ち、現在、過去、未来のコンテンツ情報２０１をマトリックス状に表示する場合、過去は録画であり、現在は放送中のコンテンツであり、未来は今後の予定となる。したがって、この現在、過去、未来のコンテンツ情報２０１をマトリックス状に表示する電子番組ガイド２００では、コンテンツ情報２０１をスクロールさせると、スクロールした状態が現在、過去、未来の何れであるか混乱することが想定される。
【００２０】
そこで、この実施例では、マトリックスを構成する１つの軸であり、かつ、スクロールしても常に固定して表示される放送局軸Ｘに着目し、この放送局軸Ｘの識別表示欄２０２を現在時刻の識別表示に採用した。この実施例では、スクロールにともなって識別表示欄２０２を移動可能とし、マトリックス表示領域２０３で現在時刻が表示できない場合は、未来については、マトリックス表示領域２０３の上辺に固定表示し、過去においては、マトリックス表示領域２０３の下辺に固定表示するようにしている。これにより、識別表示欄２０２の表示位置をみることにより、現在一覧表示されている電子番組ガイド２００が現在、過去、未来かを簡単に識別することができる。
【００２１】
以下、図１から図７を参照して、この実施例に係るテレビジョン受像機１を更に詳細に説明する。
【００２２】
図２において、このテレビジョン受像機１は、通信回線１０を介して各種のサーバと接続することで、コンテンツ情報表示システムを構成することができる。例えば、この実施例では、電子番組ガイド情報（ＥＰＧ情報）などの各種コンテンツ情報を提供するコンテンツ管理サーバ３０と、映画やアニメーションなどのコンテンツ情報を提供するＷＷＷサーバ４０と接続することができる。なお、通信回線１０は、インターネットや、インターネット以外の公衆回線や、専用回線などで構成することができる。
【００２３】
また、テレビジョン受像機１は、複数のテレビチューナ１０５や大容量の記録部１０２を内蔵して、このテレビジョン受像機１の中核を成す本体１００と、コンテンツを表示するモニタ１２０と、このテレビジョン受像機１の操作を統括的に操作するリモコン１３０とを含んで構成する。なお、このテレビジョン受像機１は、チューナを備えたパーソナルコンピュータに適用することもできる。更に、各種の増設機器１４０と接続することもできる。
【００２４】
本体１００は、情報受信部１０１、記録部１０２、制御部１０３及び通信部１０４を内蔵している。情報受信部１０１は、複数のチューナ１０５及びカメラ情報読み取り部１０６を備えて構成されている。記録部１０２は、ＨＤＤ１０７及びＤＶＤ１０８を備えて構成されている。ＨＤＤ１０７には情報閲覧プログラム１０９が付属されている。
【００２５】
また、本体１００は、チューナ１０５に、地上波アンテナ１１０を接続することで地上波デジタル放送を受信することができるとともに、衛星放送アンテナを接続することで衛星放送も受信でき、ケーブルテレビを接続することでケーブルテレビ放送も受信することができる。そして、この本体１００は、デジタル放送に対応した機能を備えており、デジタル放送を通じてテレビ画像情報（コンテンツ）の他にＥＰＧ情報などの各種コンテンツ情報を受信して、これらを記録部１０２に格納し、これらのコンテンツ情報から各種検索を行なうことができる。なお、チューナ１０５は、テレビアンテナからデジタルテレビ放送波を受信し、映像信号に変換することができる。そして、この実施例では、特定の放送局に設定されるチューナ１０５を多数設け、これらが制御部１０３の制御に基づいて、各チューナ１０５で受信したコンテンツを順次自動録画して記録部１０２に格納する。
【００２６】
また、この実施例では、チューナ１０５をデジタル放送を受信する複数のチューナ１０５で構成しているが、その一部を、携帯機器向けの地上デジタルテレビ放送サービスで採用されているワンセグ対応チューナで構成することができる。つまり、この実施例に係るテレビジョン受像機１は、複数の放送のコンテンツを複数のチューナ１０５で受信して、これを順次記録する。したがって、その記録部１０２に記録されるデータ量は極めて多くなる。この実施例では、この膨大な記録容量を確保するために、大容量のＨＤＤ１０７を設けている。そして、この大容量のＨＤＤ１０７では、所定の期間、例えば、1週間分を録画し、これを過ぎたものは順次削除するように制御部１０３が動作させる。
【００２７】
しかし、データ量の少ないワンセグ対応チューナであれば、前記所定の期間を長く設定することができる。このワンセグ対応チューナを採用する場合は、複数のワンセグ対応チューナと通常のデジタル放送対応チューナと併設して使用する。つまり、複数のワンセグ対応チューナで網羅的なコンテンツの自動録画を行い、少なくとも２つ以上のデジタル放送対応チューナでモニタ１２０での同時視聴や予約録画を行うようにする。
【００２８】
また、本体１００は、通信部１０４を通して通信回線１０に接続され、この通信回線１０を介して、コンテンツ管理サーバ３０からＥＰＧ情報などの各種コンテンツ情報を受信することができると共に、ＷＷＷサーバ４０から映画などのコンテンツ情報を受信することもできる。
【００２９】
また、本体１００は、カメラ情報読み取り部１０６に監視カメラ１５０を接続することで、監視カメラ１５０で撮影した映像をコンテンツ情報として受信することもできる。カメラ情報読み取り部１０６には、複数の監視カメラ１５０を接続することが可能であり、複数の撮影した映像をコンテンツ情報として同時に受信することができるようになっている。
【００３０】
また、本体１００は、少なくとも、筐体面にリモコン１３０の赤外線信号を受信するためのリモコン受光部と、ＤＶＤなどの記録媒体を出し入れするＤＶＤ出入テーブルを備えている。なお、この本体１００の筐体面には、状態表示部や各種の操作スイッチ類などが配置されている。
【００３１】
また、この本体１００では、通信部１０４にＵＳＢ端子を備えており、増設記録部１４１や増設パーソナルコンピュータ１４１などの増設機器１４０との接続が可能である。増設記録部１４１を増設し、ＨＤＤ１０７及びＤＶＤ１０８と同様に制御することによって、より多くの種類のコンテンツ情報を記録再生することができる。さらには、記録部及び表示部を備えた増設パーソナルコンピュータ１４１を増設し、ＨＤＤ１０７及びＤＶＤ１０８と同様に制御することによって、より多くの種類のコンテンツ情報を記録再生することができると共に、モニタ１２０と同様の制御をすることにより、モニタ１２０の代わりとすることができる。
【００３２】
モニタ１２０は、例えば、液晶ディスプレイ装置や、ＣＲＴディスプレイ装置などで構成され、本体１００とコードを介して接続されて、この本体１００で生成されるコンテンツ画像や電子番組ガイド２００などの各種の情報を表示画面に表示する。また、前記したように、このモニタ１２０には、本体１００からの音声出力信号を受けるスピーカ１２２を一体または別体に取り付けることができる。
【００３３】
リモコン１３０は、赤外線信号を介して本体１００の図示しない赤外線受光部に操作信号を送信して、このテレビジョン受像機１の操作を統括的に行なうことができる。なお、リモコン受光部をモニタ１２０に備えるようにし、モニタ１２０を介してテレビジョン受像機１の操作を行なうようにしてもよい。
【００３４】
図１に戻り、リモコン１３０は、モニタ１２０の電源をＯＮ、ＯＦＦする電源ボタン１３２と、モニタ１２０にメニューを表示させるメニューボタン１３３と、電子番組ガイド２００をモニタ１２０に表示させる番組表ボタン１３４と、カーソル２０４を移動して実行させるカーソルキー群１３５と、カラーボタン群１３６と、放送波選択ボタン群１３７と、音量アップダウンボタン１３８と、チャンネルアップダウンボタン１３９を備えている。
【００３５】
次に、図１から図３を参照して、テレビジョン受像機１の具体的な構成を更に説明する。図３はこの実施例のＨＤＤ１０７のデータベースの概念図である。
【００３６】
この実施例では、リモコン１３０の赤外線による操作指示信号をリモコン受光部で受信し、この操作指示信号を制御部１０３に入力し、この操作指示信号に基づいて制御部１０３がこのテレビジョン受像機１を統括的に制御する。制御部１０３は、マイコンで構成され、現在時刻を計数する時計機能を有している。
【００３７】
チューナ１０５は、ＥＰＧ情報を重複した放送波を受信できる公知のものである。このＥＰＧ情報は、チャンネル番号、番組の放送時間（開始時間〜終了時間）、番組名（タイトル）、番組内容（ジャンル）、出演者、それら複数の番組が多重化されたストリームから所望の番組を抜き出すために必要なプログラムＩＤとプログラムテーブルなどが含まれる。放送波は、地上波、衛星放送波（ＢＳ）、有線放送波（ＣＳ）の何れでも良い。
【００３８】
この実施例では、チューナ１０５が複数（図示例では８つ）のチューナで構成されており、複数の放送波を複数のチューナ１０５で同時に受信して複数種類のコンテンツとして記録部１０２に格納できるようになっている。大容量の記録部１０２としてＨＤＤ１０７とＤＶＤ１０８とが備えられており、放送波で受信したコンテンツをＤＶＤ１０８やＨＤＤ１０７に格納することができると共に、ＨＤＤ１０７やＤＶＤ１０８に格納されたコンテンツを再生することができる。
【００３９】
各チューナ１０５で受信された放送波は、番組情報抽出部（図示せず）で映像情報とＥＰＧ情報とに分離され、記録部１０２のＨＤＤ１０７やＤＶＤ１０８へ格納される。ＨＤＤ１０７に格納されるコンテンツは、図３に示すように、映像情報が録画映像データベース１０７ａに格納され、ＥＰＧ情報がＥＰＧ情報データベース１０７ｂに格納される。ＤＶＤ１０８へのコンテンツの格納は、前述のＨＤＤ１０７への格納と同様に行なわれるので、その説明を省略する。
【００４０】
そして、本体１００では、検索情報や格納時刻やＥＰＧ情報から各種の検索を行って、その検索結果に基づいて、ＤＶＤ１０８あるいはＨＤＤ１０７に格納したコンテンツをコンテンツ画像として表示部１２０に表示することができる。
【００４１】
一方、カメラ情報読み取り部１０６で受信された映像は、放送波と同様に、コンテンツとして記録部１０２に格納され、前述のコンテンツの取り扱いと同様に取り扱われる。
【００４２】
次に、この実施例の特徴である電子番組ガイド２００の操作表示方法を図４から図６の画面遷移図と図１及び図７の動作フロー図を参照して説明する。
【００４３】
先ず、図１において、この実施例では、制御部１０３が、各放送波（地上デジタル、ＢＳ、ＣＳなど）における前回選局されたチャンルの選局情報や、録画されたコンテンツのコンテンツ情報２０１を格納している。リモコン１３０の電源ボタン１３２の操作を受け付けると、制御部１０３は、最も直近に視聴した放送波のコンテンツ（番組）を表示する。この状態であれば、放送波選択ボタン群１３７と音量アップダウンボタン１３８とチャンネルアップダウンボタン１３９の各操作を受け付けて極一般的なテレビジョン受像機の機能を実行することができる。更に、メニューボタン１３３を操作することで、各種の設定や操作を受け付ける図示しないウインドウをモニタ１２０に表示し、このウインドウ内に設けられるスイッチをカーソルキー群１３５で選択して決定することで各種の設定や操作を実行することができる。また、モニタ１２０に必要により表示される図示しないカラーボタン表示をカラーボタン群１３６で選択することで、これらカラーボタン表示に割りつけられる機能を実行することができる。
【００４４】
そして、このテレビジョン受像機１の大きな特徴は、番組表ボタン１３４で選択操作されてモニタ１２０に表示される電子番組ガイド２００（２００ｃ）にある。この電子番組ガイド２００の概略構成を図４と図５で説明する。
【００４５】
図４は、通常の放送波を視聴中に番組表ボタン１３４が操作された状態を示している。つまり、「現在」時点の電子番組ガイド２００ａを示している。図４において、この実施例の電子番組ガイド２００ａは、画面中央に配置されるマトリックス表示領域２０３と、マトリックス表示領域２０３の上辺に配置される放送波表示領域２０４と日付表示領域２０５と、マトリックス表示領域２０３の下辺に配置される現在選局表示画面領域２０６とカーソル位置情報表示領域２０７と、操作スイッチ表示領域２０８とを備えている。
【００４６】
マトリックス表示領域２０３は、縦軸に時間軸Ｙ、横軸に放送局軸Ｘが設定されたマトリックス状のコンテンツ情報２０１の表示領域である。時間軸Ｙには、時間情報が表記されている。また、この実施例では横長のマトリックス表示領域２０３に対応して、両側に時間軸Ｙを表記している。また、放送局軸Ｘは、各放送局の名称とチャンネルが表記された識別表示欄２０２で示されている。
【００４７】
図４は、通常の放送波を視聴中に番組表ボタン１３４が操作された状態を示しているので、この状態の電子番組ガイド２００ａでは、マトリックス表示領域２０３の上辺に識別表示欄２０２が表記される。また、各コンテンツ情報２０１は、放送時間に対応して仕切られており、その仕切り内に放送開始時間（分）とタイトル及び番組の概略情報が表示されている。
【００４８】
ここで、この実施例に係る電子番組ガイド２００では、必ず、１つのコンテンツ情報２０１にカーソルがセットされて、強調表示される。したがって、このカーソルをカーソルキー群１３５で移動させて、決定操作することで、当該決定操作されたコンテンツ情報２０１のコンテンツに関する図示しない詳細情報を表示し、更に、再生または表示を実行することができる。
【００４９】
放送波表示領域２０４は、現在表示されている電子番組ガイド２００ａの地上デジタル、ＢＳ、ＣＳなどの放送波の種別を表示する領域である。日付表示領域２０５は、現在表示されている電子番組ガイド２００ａの日付と曜日を表示するものであり、この実施例では１週間を表示することができる。なお、日付表示領域２０５の右端には現在時刻が表示されている。
【００５０】
現在選局表示画面領域２０６は、電子番組ガイド２００が選択操作される直前に表示されている放送中のコンテンツや録画されたコンテンツを引き続いて表示する領域である。カーソル位置情報表示領域２０７は、カーソルが位置するコンテンツ情報２０１の情報表示する領域である。操作スイッチ表示領域２０８は、カラーボタン群１３６、メニューボタン１３３、放送波選択ボタン群１３７などの操作機能を説明する領域である。
【００５１】
次に、図５は、録画されたコンテンツを視聴中に、番組表ボタン１３４が操作された状態の電子番組ガイド２００ｂの一例を示している。この電子番組ガイド２００ｂは、基本的には電子番組ガイド２００ａと同じであるが、識別表示欄２０２の配置が大きく相違する。つまり、この実施例では、コンテンツを録画するに当たり録画時間情報も記録する。そして、制御部１０３は、録画されたコンテンツであると判定すると、マトリックス表示領域２０３の下辺に識別表示欄２０２を配置して、電子番組ガイド２００ｂを生成する。
【００５２】
また、電子番組ガイド２００ｂでは、コンテンツ情報２０１に記録した各コンテンツのサムネール２０９を表示する。つまり、この実施例では、コンテンツを録画するに当たり当該コンテンツの所定の位置のサムネールも記録する。そして、制御部１０３は、電子番組ガイド２００ｂを生成するに当たり、各コンテンツ情報２０１に該当するサムネールを表記することにより、利用者の視認性を向上させている。
【００５３】
次に、図６に示す電子番組ガイド２００ｃは、「現在」「予定（未来）」を表示する電子番組ガイド２００ａから「過去」の電子番組ガイド２００ｂへの移行する途中の状態を示している。なお、この逆の移行動作も同様であるため、この説明は省略する。
【００５４】
この実施例では、マトリックス表示領域２０３のコンテンツ情報２０１をスクロールさせると、マトリックス表示領域２０３に表示されるコンテンツ情報２０１の時間軸Ｙに現在時間が含まれる場合は、当該現在時刻の時間軸Ｙに合わせて識別表示欄２０２を表示し、スクロール操作にともなって時間軸Ｙがスクロールすると、このスクロールに合わせて識別表示欄２０２もスクロールする。この動作フローを図７の動作フロー図をもとに、図４から図６を参照して説明する。
【００５５】
図７において、先ず、制御部１０３は、番組表ボタン１３４が操作されたか否かを監視している（ステップ２５１）。この実施例では、番組表ボタン１３４の操作により、図４と図５の何れかの電子番組ガイド２００ａ、２００ｂを表示する。即ち、制御部１０３は、電子番組ガイド２００から自動的に録画されたコンテンツを再生中であるか否かを判定し（ステップ２５３）、自動的に録画されたコンテンツを再生中であれば、識別表示欄２０２がマトリックス表示領域２０３の下辺に配置された図５に示す電子番組ガイド２００ｂのフレームを生成し(ステップ２５５)、番組ガイド情報データベース１０７ｂから該当するデータを呼び出して、再生中のコンテンツ情報２０１を識別表示欄２０２に隣接させて、当該コンテンツ情報２０１にカーソルをセットした電子番組ガイド２００ｃを表示する。
【００５６】
一方、自動的に録画されたコンテンツでなければ、識別表示欄２０２がマトリックス表示領域２０３の上辺に配置された図４に示す電子番組ガイド２００のフレームを生成し(ステップ２５５)、番組ガイド情報データベース１０７ｂから該当するデータを呼び出して、再生中のコンテンツ情報２０１を識別表示欄２０２に隣接させて、当該コンテンツ情報２０１にカーソルをセットした電子番組ガイド２００ａを表示する。
【００５７】
そして、制御部１０３は、カーソルキー群１３５が操作されたか否かを監視する（ステップ２６３）。制御部１０３は、カーソルキー群１３５の操作が成された場合、その操作が、カーソルの放送局軸Ｘ方向の移動否かを判定し（ステップ２６５）、放送局軸Ｘ方向の操作である場合には、カーソルの放送局軸Ｘ方向の移動と、マトリックス表示領域２０３のスクロールを実行して（ステップ２７３）ステップ２６３に戻す。
【００５８】
一方、制御部１０３は、カーソルキー群１３５の操作が、時間軸Ｙ方向の移動操作の場合、当該操作によりカーソルがマトリックス表示領域２０３の外への移動かを判定し（ステップ２６７）、マトリックス表示領域２０３の内への移動の場合は、カーソルのみを移動させて（ステップ２７５）、ステップ２６３に戻し、マトリックス表示領域２０３の外への移動の場合は、当該カーソルの移動により、識別表示欄２０２がマトリックス表示領域２０３の外への移動となるかを判定する（ステップ２６７）。
【００５９】
ステップ２６９において、識別表示欄２０２がマトリックス表示領域２０３の外へ移動しない場合は、識別表示欄２０２を含めてマトリックス表示領域２０３内をスクロールさせてカーソルを移動させ(ステップ２７７)、ステップ２６３に戻す。一方、ステップ２６８において、識別表示欄２０２がマトリックス表示領域２０３の外へ移動する場合は、識別表示欄２０２をマトリックス表示領域の上辺または下辺に固定表示し、コンテンツ情報２０１をスクロールしながらカーソルを移動させる（ステップ２７１）。
【００６０】
そして、制御部１０３は、カーソルキー群１３５の決定操作が成された否かを監視し(ステップ２７９)。決定操作が成されれば決定操作されたコンテンツ情報２０１に対応するコンテンツの視聴または再生準備動作を実行し（ステップ２８３）、決定操作が成されない場合は、番組表ボタン１３４のキャンセル操作、例えば、再度、番組表ボタン１３４が操作されたり、図示しない戻り操作が成されたか否かを監視する(ステップ２８１)。このステップ２８１の操作が成されれば、番組操作ボタン１３４の操作前の状態に戻して(ステップ２８５)、フローを中止し、ステップ２８１の操作が成されなければステップ２６３に戻す。
【００６１】
このように、実施例によれば、現在放送中のコンテンツを視聴中に番組表ボタン１３４を操作すれば、図４に示す電子番組ガイド２００ａが表示される。この電子番組ガイド２００ａによれば、識別表示欄２０２がマトリックス表示領域２０３の上辺に配置され、その下方に隣接して、現在視聴中のコンテンツ情報２０１が強調表示される。したがって、利用者、この電子番組ガイド２００ａが、「現在」から「予定（未来）」の電子番組ガイド２００であるということが直感的に認識することができる。
【００６２】
一方、自動録画されたコンテンツの再生中に番組表ボタン１３４を操作すれば、図５に示す電子番組ガイド２００ｂが表示される。この電子番組ガイド２００ｂによれば、識別表示欄２０２がマトリックス表示領域２０３の下辺に配置され、その下方に隣接して、再生中のコンテンツ情報２０１が強調表示される。したがって、利用者、この電子番組ガイド２００ｂが、「過去」の電子番組ガイド２００であるということが直感的に認識することができる。
【００６３】
そして、図４及び図５の電子番組ガイドにおいて、現在表示されているマトリックス表示領域２０３でのカーソルの移動ではそれぞれの電子番組ガイド２００のフレームは変化しない。また、放送局軸Ｘ方向のカーソルが、表示されていない他の放送局に移動する場合は、カーソルの移動に対応して識別表示欄２０２も移動して、マトリックス表示領域２０３内がスクロールする。
【００６４】
しかし、図４の状態、即ち、識別表示欄２０２の下方に隣接したコンテンツ情報２０１にカーソルがセットされた状態から、当該カーソルを上方へ移動させる操作がなされると、図６に示すように、識別表示欄２０２を含んだマトリックス表示領域２０３内全体がスクロールする。これにより、カーソルがセットされているコンテンツ情報２０１と現在時刻と関係が一目で認識することができる。
【符号の説明】
【００６５】
１…テレビジョン受像機、１０…通信回線、３０…コンテンツ管理サーバ、４０…ＷＷＷサーバ、１００…本体、１０１…情報受信部、１０２…記録部、１０３…制御部、１０４…通信部、１０５…チューナ、１０６…カメラ情報読み取り部、１０７…ＨＤＤ、１０７ａ…録画映像情報データベース、１０７ｂ…番組ガイド情報データベース、１０８…ＤＶＤ、１１０…アンテナ、１２０…モニタ、１２１…表示装置、１２２…スピーカ、１３０…リモコン、１３２…電源ボタン、１３３…メニューボタン、１３４…番組表ボタン、１３５…カーソルキー群、１３６…カラーボタン群、１３７…放送波選択ボタン群、１３８…音量アップダウンボタン、１３９…チャンネルアップダウンボタン、１４０…増設機器、１４１…増設記録部、１４１…増設パーソナルコンピュータ、１５０…監視カメラ、２００…電子番組ガイド、２０１…コンテンツ情報、２０２…識別表示欄、２０３…マトリックス表示領域、２０４…放送波表示領域、２０５…日付表示領域、２０６…現在選局表示画面領域、２０７…カーソル位置情報表示領域、２０８…操作スイッチ表示領域、Ｙ…時間軸、Ｘ…放送局軸
【図１】
0005533512.tif 000002
【図２】
0005533512.tif 000003
【図３】
0005533512.tif 000004
【図４】
0005533512.tif 000005
【図５】
0005533512.tif 000006
【図６】
0005533512.tif 000007
【図７】
0005533512.tif 000008